(57)【要約】【課題】インターネットは、更に発展が期待されている重要なメディアであるが、テレビや雑誌などと比較すると、多くの人が利用しているにもかかわらず、広告市場規模が小さく効率的な宣伝・広告が行われるメディアとして成立していなかった。【解決手段】コンピュータに接続するＵＳＢ 端子と、コンピュータから転送されたデータを格納するための不揮発性メモリと、コンピュータからのデータの入出力を制御する半導体チップを備えたＵＳＢドライブであり、ストレージ領域に格納する個人認証機能とポイント管理機能と、インターネットで接続されたサーバの機能により、自動的に判断される個人属性をインターネット上で開示する機能を持つ個人属性開示機能付ＵＳＢドライブを提供する。【選択図】図１
2005228168.tif 000002
【特許請求の範囲】
【請求項１】
コンピュータに接続するＵＳＢ端子と、コンピュータから転送されたデータを格納するための不揮発性メモリと、コンピュータからのデータの入出力を制御する半導体チップを備えたＵＳＢドライブであって、ストレージ領域に格納する個人認証機能とポイント管理機能と、インターネットで接続されたサーバの機能により、自動的に判断される個人属性をインターネット上で開示する機能を持つことを特徴とする個人属性開示機能付ＵＳＢドライブ
【請求項２】
前記、個人属性開示機能付ＵＳＢドライブにはインターネット上のサーバと接続する機能と、接続した利用者を特定する個人認証機能と、接続した認証サーバ、ポイント管理サーバ、情報配信サーバとの連携により、利用者がインターネット上で広告をクリックした際に発行されるポイント数が異なったり、ポイントを発行可能か不可かを自動的に判断する機能を持つことを特徴とする請求項1記載の個人属性開示機能付ＵＳＢドライブ
【請求項３】
前記、個人属性開示機能付ＵＳＢドライブと、利用者がＵＳＢドライブを接続しているコンピュータと、インターネットを介して広告主から依頼された広告表示部を持つホームページを提供するサーバとＵＳＢドライブの接続された前記コンピュータにおいて前記広告 表示部がクリックされたことを示すクリック情報と、前記広告をクリックしたことで、ポイントを利用者に発行するポイント発行手段と前記ポイント 発行手段で発行されたポイント を前記利用者用のコンピュータに送信する通信手段と、そのポイント管理サーバと、利用者を特定する個人認証機能と、その認証サーバと、個人属性を自動的に判断する個人属性判断機能と、認証をした利用者に応じた広告情報を配信する手段と、その広告情報配信サーバと、それらのすべてのサーバを制御する制御手段を持ったサーバを利用したポイントシステムであり、利用者が、視聴ポイント付広告をクリックした際に個人属性に応じて、利用者に発行されるポイント数が異なったり、もしくはポイントを発行可能、又は発行不可であるかを自動的に判断することを特徴とする請求項１〜２記載の個人属性開示機能付ＵＳＢドライブを用いたポイントシステム
【請求項４】
前記ポイントシステムは、個人認証機能により実現可能なシステムであって、利用者がＵＳＢドライブを用いてサーバにログインした後に、個人の属性が判断され、広告配信サーバより、個人属性に適合した視聴ポイント付広告が、インターネットを行う利用者のブラウザに表示されることを特徴とする請求項１〜３記載の個人属性開示機能付ＵＳＢドライブを用いたポイントシステム
【請求項５】
前記個人属性開示機能付ＵＳＢドライブを用いたポイントシステムでは、利用者が協賛企業の運営するサーバにアクセスした際に、開示された個人属性により、利用者に適合する情報がホームページに表示され、属性によりグループ分けされた各利用者に提供する、配信情報、視聴ポイント数、提供サービスが異なることを特徴とする請求項１〜３記載の個人属性開示機能付ＵＳＢドライブを用いたポイントシステム
【請求項６】
インターネットで接続されたＵＳＢドライブに情報を配信する個人属性開示機能付ＵＳＢドライブを用いたポイントシステムのサーバであって、そのサーバは、認証サーバ、ポイント管理サーバ、広告配信サーバ、各種情報配信サーバを総称しているものであって、利用者を特定する個人認証機能と、利用者の属性を判断する個人属性判断機能と、各利用者のポイントを格納するポイント格納手段と、ポイント情報送信手段と、各利用者によって異なる視聴ポイントを設定する視聴ポイント設定手段と、設定された視聴ポイントを利用者に配信する広告情報配信手段と、視聴ポイント付の広告を利用者がクリックした際に、ポイントを利用者に発行するポイント発行手段と、属性に応じた情報配信手段を有し、利用者が視聴ポイント付広告をクリックすることにより、広告視聴ポイントがポイント管理サーバより、ポイント情報が利用者に送信され、ポイント管理サーバのポイント格納手段と、ＵＳＢドライブのストレージ領域のポイントが連動してプラスされる機能を持つことを特徴とする請求項１〜５記載の個人属性開示機能付ＵＳＢドライブのポイントシステムに用いられるサーバ。
【請求項７】
利用者がＵＳＢドライブをコンピュータに接続して、インターネットを行う際に行われる方法であって、インターネットにより情報を利用者に提供するサーバと、サーバから提供された情報を表示するコンピュータにＵＳＢドライブを接続して個人認証を行い、その個人認証後に運用されるポイントシステムの提供方法であって、ＵＳＢドライブを利用者のコンピュータに接続して、情報を読むステップと、協賛企業のホームページを、利用者のコンピュータに呼び出すステップと、ＵＳＢドライブの個人認証機能により利用者がサーバにログインするステップと、個人属性の情報をサーバに格納するステップと、ログインされた利用者の個人属性を判断するステップと、サーバが発行ポイントを個人属性に応じて設定するステップと、判断された個人属性により広告視聴ポイントが設定されるステップと、設定された広告視聴ポイントを利用者に送信して、表示するステップと、利用者が前記ブラウザに表示された視聴ポイント付広告をクリックするステップと、サーバが認証された利用者にポイントを発行するステップと、ポイント管理サーバに利用者のポイントがプラスされるステップと、前記発行ポイントが利用者のＵＳＢドライブに記憶されるステップと、利用者のブラウザにポイントが表示されるステップと、を有し、利用者が、広告を閲覧することにより、発行されるポイント数が、属性判断機能により判断された個人属性により異なる、もしくは、ポイントを発行可能、発行不可であることを自動的に判断することを特徴とする請求項１〜６記載の個人属性機能付ＵＳＢドライブのポイントシステムに用いられるポイント提供方法
【請求項８】
前記、ＵＳＢドライブは、広告主からの視聴ポイント付広告を、表示させるための個人属性開示機能付ＵＳＢドライブであって、協賛企業のホームページのサーバと接続する機能を有し、利用者が広告表示部を持つ協賛企業のホームページを訪問した際において、広告集計手段と、視聴ポイント付広告の記憶手段と、視聴ポイント付広告の送信手段と、個人認証機能と、個人属性判断手段と、視聴ポイント設定手段と、広告情報配信手段と、属性に応じた情報配信手段と、ポイント発行手段と、ポイント情報送信手段により、利用者の属性に応じた広告と、その視聴ポイントが自動的に利用者のプラウザの広告表示部に表示され、利用者がその広告をクリックした際には、利用者コンピュータからのクリック情報と、その情報を送信する通信手段と、個人認証機能と、ポイント発行手段と、ポイント格納手段と、ポイント情報送信手段とにより、利用者に応じたポイントが、ポイント管理サーバと、利用者のＵＳＢドライブのストレージ領域に、プラスされたポイント数が記憶されることを特徴とする請求項１〜７記載の個人属性機能付ＵＳＢドライブのポイントシステムに用いられるポイント提供方法と、それに用いられるサーバと、そのポイントシステムを実現するための個人属性開示機能付ＵＳＢドライブ
【請求項９】
個人属性開示機能付ＵＳＢドライブのストレージ領域には、個人属性を判断して開示する手段を持ち、接続したコンピュータで閲覧されたホームページの履歴記録やクッキーの情報などにより個人属性を判断し、その属性を含んだ情報を暗号化して、ネット上で開示する機能を持つことを特徴とする請求項１~８記載の個人属性開示機能付ＵＳＢドライブ
【発明の詳細な説明】
【技術分野】
【０００１】
本発明は、個人属性開示機能付ＵＳＢドライブと、それを用いたポイントシステムと、そのポイントシステムを制御するサーバ と、そのポイントの提供方法に関する。
【背景技術】
【０００２】
従来までは、インターネットをする際には、自分にとって有益な情報を各利用者が、それぞれの興味によって探し出さなくてはならなかった。インターネットを行う際に表示される情報は、同じサイトを訪れれば誰であっても同じであり、広告メディアとして利用する際には、大変に不効率であった。
【０００３】
アマゾンドットコムなどのサイトにログインをすると、状況は一変して自分の興味のある本を自動的に薦めてくれる。探したい情報を持った本を効率的に探すことができてとても便利なサイトであるが、毎回ログインするのがとても面倒であった。特定サイトにログインしたときのみに会員向けサービスは受けることが可能であるが、ＩＤやパスワードを覚えていなくてはならず、通常は数個のＩＤとパスワードを覚えるのが精一杯である。
【０００４】
現在、インターネット 上における認証システムやポイント管理、ネット広告閲覧時のポイント発行などのシステムや方法については、様々な方法が考えられているが諸々の問題により、一般に普及するに至っていない。ＩＣカードを利用する方法が一般的であり、コンピュータにカードリーダーを用いてＩＣカードを接続して個人を認証し、インターネット上でのサービスを利用できるようなシステムが複数登場している。
【０００５】
インターネット上で広告をクリックした際に、ポイントをユーザーに発行するシステムは登場しているが、初期設定が大変にやっかいであり、その上にポイント発行をしてくれるサイトを見つけてログインしなくては、ポイントを受け取ることができない。それらのポイントを発行可能なサイトは多数存在して、それぞれのサイトで初期設定を行いポイント発行のための手続きをする必要があった。ポイントを発行可能なサイトでポイントを貯めても、そのポイントは全く汎用性がなく、何にも使えぬまま終わってしまう場合が大多数であり、商品や現金に実際にかえることはとても困難である。長期間、登録したサイトにログインしていないと、発行されたＩＤやパスワードも忘れてしまい、結局のところ使用をあきらめてしまう場合が多い。個人認証後のインターネット広告の市場は大変なポテンシャルがあっても、現在のところは伸び悩んでいる。
【発明の開示】
【発明が解決しようとする課題】
【０００６】
インターネットは、更に発展が期待されている重要なメディアであるが、テレビや雑誌などと比較すると、多くの人が利用しているにもかかわらず、広告市場規模が小さく効率的な宣伝・広告が行われるメディアとして成立していなかった。
【０００７】
個人認証ができれば、テレビや雑誌に比べると大変に効果的な次世代のメディアを形成可能であるが、コンピュータに簡単に接続できる個人認証ツールが存在せず、インターネットを行う際に表示される情報は、同じサイトを訪れてれば誰であっても同じであった。
そのために、広告メディアとして利用する際には、大変に不効率であり、効果をあげることができなかった。
【０００８】
従来のＩＣカードのシステムでは、カードリーダーがパソコンに読み込み際に必要になり、カードリーダーを搭載していないパソコンでは、使用できないとの問題があった。カードリーダーをパソコンに接続するためには、ドライバソフトや特別なソフトをパソコンにインストールする必要があり、一般的に誰もが使えるような簡単なシステムを構築することができなかった。
【０００９】
多くのインターネットユーザーを集めるポータルサイトにおいては、バナーなどの広告掲載料金を主な収入源にしているが、利用者は当然ながら自分に興味のある広告にしか興味を示さない。そのために、広告のクリック率はとても小さくしかなりえず、効率的な広告ができなかった。
【００１０】
その上、広告をクリックして、利用者にとって何か有益な情報が得られる、もしくは特典があたえられないかぎり、広告を閲覧することはほとんどない。ポータルサイトにおいて利用者に興味のある広告が表示され、それを閲覧すると利用者に特典ポイントが与えられるシステムが必要であった。
【００１１】
とりわけ、インターネットをする際に誰もが利用する検索サイトにおいては、個人認証を行うことで、利用者にとって有益な情報を各利用者向けに配信することが可能になる。利用者は毎回、いちいちＩＤとパスワードを入力してログインをしなくとも、ＵＳＢドライブをパソコンのＵＳＢポートに挿入し、認証が行って各個人にとって有益な情報を表示してくれる。その有益な情報とは、利用者の興味のあるニュースであったり、視聴ポイント付き広告であったり、購入したいと思っていたプレミアムグッツの情報であったりする。検索を行った後に何を探しているのかの属性を判断して、視聴ポイント付広告を利用者に表示すると、大変な効果が見込まれる。利用者は、自分の目的とする情報を探しながら、ポイントという特典を受け取ることができ、協賛企業は利用者が情報を探しだしたその瞬間に効率的な広告を利用者に配信することができる。購入履歴などの属性に応じて、協賛企業は大きなポイントを利用者に発行することで、ほぼ確実に特定した利用者に広告活動を行うことができ、購入にまで結びついたかの結果までを詳細に集計することができる
【００１２】
本発明においては、上記課題を解決し、利用者に個人認証ツールを提供して、属性に応じた視聴ポイント付き広告を提供するシステムと方法を提供し、効率的で効果的な広告メディア、ポイント決済を行うポイントシステムと、個人認証用のＵＳＢドライブ、個人属性を開示するＵＳＢドライブ、それを実現するシステムとサーバを提供することを目的とする。
【００１３】
さらに本発明においては、ＵＳＢドライブのストレージ領域に格納した広告をクリックすることで、ポイントをユーザーに発行し、そのポイントを複数のサイトで使用可能なシステムを提供できる。そのポイント発行手段は、サーバに必ずしもアクセスする必要はなくＵＳＢドライブ内でのみ完結することもできる。広告を格納したＵＳＢドライブは、他社製品よりも広告費によって安く市場に投入することができる。販売価格を下げることで、価格面で優位にたてるために、本発明を格納したＵＳＢドライブメーカは、大きなシェアをＵＳＢドライブの市場で獲得することが可能である。
【課題を解決するための手段】
【００１４】
上記課題を解決するため、請求項１に記載の発明においては、コンピュータに接続するＵＳＢ 端子と、コンピュータから転送されたデータを格納するための不揮発性メモリと、コンピュータからのデータの入出力を制御する半導体チップを備えたＵＳＢドライブを利用者に提供し、ストレージ領域に格納する個人認証機能とポイント管理機能とインターネットで接続されたサーバの機能により、自動的に判断される個人属性を、利用者がインターネットにアクセスした際に開示する手段を持つＵＳＢドライブを提供することを特徴としている。
【００１５】
また、上記課題を解決するため、請求項２に記載の発明においては、請求項１で説明した個人属性開示機能付ＵＳＢドライブにはインターネット上のサーバと接続する機能と、接続した利用者を特定する個人認証機能と、接続した認証サーバ、ポイント管理サーバ、情報配信サーバとの連携により、利用者がインターネット上で広告をクリックした際に発行されるポイント数が異なったり、ポイントを発行可能か不可かを自動的に判断する機能を持つ請求項１に記載の個人属性開示機能付ＵＳＢドライブであることを特徴とすることを特徴としている。
【００１６】
また、上記課題を解決するため、請求項３に記載の発明においては、請求項１又は２に記載の発明において、前記、個人属性開示機能付ＵＳＢドライブと、利用者がＵＳＢドライブを接続しているコンピュータと、インターネットを介して広告主から依頼された広告表示部を持つホームページを提供するサーバとＵＳＢドライブの接続された前記コンピュータにおいて前記広告 表示部がクリックされたことを示すクリック情報と、前記広告をクリックしたことで、ポイントを利用者に発行するポイント発行手段と前記ポイント 発行手段で発行されたポイント を前記利用者用のコンピュータに送信する通信手段と、そのポイント管理サーバと、利用者を特定する個人認証機能と、その認証サーバと、個人属性を自動的に判断する個人属性判断機能と、認証をした利用者に応じた広告情報を配信する手段と、その広告情報配信サーバと、それらのすべてのサーバを制御する制御手段を持ったサーバを利用したポイントシステムであり、利用者が、視聴ポイント付広告をクリックした際に個人属性に応じて、利用者に発行されるポイント数が異なったり、もしくはポイントを発行可能、又は発行不可であるかを自動的に判断することを特徴とする個人属性開示機能付ＵＳＢドライブを用いたポイントシステムであり、請求項１又は２のいずれかに記載の事項を利用したポイントシステムであることを特徴としている。
【００１７】
また、上記課題を解決するため、請求項４に記載の発明においては、請求項１〜３に記載の発明において、前記ポイントシステムは、個人認証機能により実現可能なシステムであって、利用者がＵＳＢドライブを用いてサーバーにログインした後に、個人の属性が判断され、広告配信サーバーより、個人属性に適合した視聴ポイント付広告が、インターネットを行う利用者のブラウザに表示されることを特徴とする個人属性開示機能付ＵＳＢドライブを用いたポイントシステムであり、請求項１〜３のいずれかに記載の事項を利用したポイントシステムであることを特徴としている。
【００１８】
また、上記課題を解決するため、請求項５に記載の発明においては、請求項１〜３に記載の発明において、前記個人属性開示機能付ＵＳＢドライブを用いたポイントシステムでは、利用者が協賛企業の運営するサーバにアクセスした際に、開示された個人属性により、利用者に適合する情報がホームページに表示され、属性によりグループ分けされた各利用者に提供する、配信情報、視聴ポイント数、提供サービスが異なることを特徴とする個人属性開示機能付ＵＳＢドライブを用いたポイントシステムであり、請求項１〜３のいずれかに記載の事項を利用したポイントシステムであることを特徴としている。
【００１９】
また、上記課題を解決するため、請求項６に記載の発明においては、請求項１〜５に記載の発明において、インターネットで接続されたＵＳＢドライブに情報を配信する個人属性開示機能付ＵＳＢドライブを用いたポイントシステムのサーバであって、そのサーバは、認証サーバ、ポイント管理サーバ、広告配信サーバ、各種情報配信サーバを総称しているものであって、利用者を特定する個人認証機能と、利用者の属性を判断する個人属性判断機能と、各利用者のポイントを格納するポイント格納手段と、ポイント情報送信手段と、各利用者によって異なる視聴ポイントを設定する視聴ポイント設定手段と、設定された視聴ポイントを利用者に配信する広告情報配信手段と、視聴ポイント付の広告を利用者がクリックした際に、ポイントを利用者に発行するポイント発行手段と、属性に応じた情報配信手段を有し、利用者が視聴ポイント付広告をクリックすることにより、広告視聴ポイントがポイント管理サーバより、ポイント情報が利用者に送信され、ポイント管理サーバのポイント格納手段と、ＵＳＢドライブのストレージ領域のポイントが連動してプラスされる機能を持つサーバであり、請求項１〜５記載の個人属性開示機能付ＵＳＢドライブのポイントシステムに用いられるサーバであることを特徴としている。
【００２０】
また、上記課題を解決するため、請求項７に記載の発明においては、請求項１〜６に記載の発明において、利用者がＵＳＢドライブをコンピュータに接続して、インターネットを行う際に行われる方法であって、インターネットにより情報を利用者に提供するサーバと、サーバから提供された情報を表示するコンピュータにＵＳＢドライブを接続して個人認証を行い、その個人認証後に運用されるポイントシステムの提供方法であって、ＵＳＢドライブを利用者のコンピュータに接続して、情報を読むステップと、協賛企業のホームページを、利用者のコンピュータに呼び出すステップと、ＵＳＢドライブの個人認証機能により利用者がサーバにログインするステップと、個人属性の情報をサーバに格納するステップと、ログインされた利用者の個人属性を判断するステップと、サーバが発行ポイントを個人属性に応じて設定するステップと、判断された個人属性により広告視聴ポイントが設定されるステップと、設定された広告視聴ポイントを利用者に送信して、表示するステップと、利用者が前記ブラウザに表示された視聴ポイント付広告をクリックするステップと、サーバが認証された利用者にポイントを発行するステップと、ポイント管理サーバに利用者のポイントがプラスされるステップと、前記発行ポイントが利用者のＵＳＢドライブに記憶されるステップと、利用者のブラウザにポイントが表示されるステップと、を有し、利用者が、広告を閲覧することにより、発行されるポイント数が、属性判断機能により判断された個人属性により異なる、もしくは、ポイントを発行可能、発行不可であることを自動的に判断することを特徴とする請求項１〜６記載のポイント提供方法り判断された個人属性により異なる、もしくは、ポイントを発行可能、発行不可であることを自動的に判断するポイント提供方法であり、請求項１〜６記載の個人属性開示機能付ＵＳＢドライブのポイントシステムに用いられるポイント提供方法であることを特徴としている。
【００２１】
また、上記課題を解決するため、請求項８に記載の発明においては、請求項１〜７に記載の発明において前記、ＵＳＢドライブは、広告主からの視聴ポイント付広告を、表示させるための個人属性開示機能付ＵＳＢドライブであって、協賛企業のホームページのサーバと接続する機能を有し、利用者が広告表示部を持つ協賛企業のホームページを訪問した際において、広告集計手段と、視聴ポイント付広告の記憶手段と、視聴ポイント付広告の送信手段と、個人認証機能と、個人属性判断手段と、視聴ポイント設定手段と、広告情報配信手段と、属性に応じた情報配信手段と、ポイント発行手段と、ポイント情報送信手段により、利用者の属性に応じた広告と、その視聴ポイントが自動的に利用者のプラウザの広告表示部に表示され、利用者がその広告をクリックした際には、利用者コンピュータからのクリック情報と、その情報を送信する通信手段と、個人認証機能と、ポイント発行手段と、ポイント格納手段と、ポイント情報送信手段とにより、利用者に応じたポイントが、ポイント管理サーバと、利用者のＵＳＢドライブのストレージ領域に、プラスされたポイント数が記憶されることを実現しており、請求項１〜７記載の個人属性機能付ＵＳＢドライブのポイントシステムに用いられるポイント提供方法と、それに用いられるサーバと、そのポイントシステムを実現するための個人属性開示機能付ＵＳＢドライブであることを特徴としている。上記課題を解決するため、請求項９に記載の発明においては、請求項１〜８に記載の発明においては、ＵＳＢドライブは個人属性開示機能付ＵＳＢドライブのストレージ領域には、個人属性を判断して開示する手段を持ち、接続したコンピュータで閲覧されたホームページの履歴記録やクッキーの情報などにより、個人属性を判断し、その属性を含んだ情報を暗号化して、ネット上で開示する機能を持ち、請求項１〜８記載の個人属性機能付ＵＳＢドライブのポイントシステムに用いられるポイント提供方法と、それに用いられるサーバと、そのポイントシステムを実現するための個人属性開示機能付ＵＳＢドライブであることを特徴としている。
【発明の効果】
【００２２】
以上詳細に説明したように、本発明品を用いることにより、インターネットを行う利用者は、自分の意図する情報を探しながら広告視聴ポイントを協賛企業より受け取ることが可能になる。それは、次世代のメディアとしてインターネットが発展することであり、利用者と、協賛企業のどちらにもメリットを出すことができるシステムを本発明品は提供することができる。更に本発明を格納するＵＳＢドライブのメーカーは、広告格納の特典により他社よりも安くＵＳＢドライブを利用者に提供することも可能となる。
【００２３】
本発明に協賛する企業は、広告視聴ポイント付の広告を、属性に適合した利用者に配信することができるようになる。広告を見せたいと判断した属性を持った利用者のみに、一度だけの視聴ポイントを与えることで、ターゲットを絞って効率的な宣伝を行うことができるようになり、無駄な広報費用を削減することができる。それは、本発明の個人属性開示機能付ＵＳＢドライブにより可能となり、属性がわからなければターゲットを絞ってポイントを与えることはできない。
【００２４】
インターネットするネット利用者は、本発明を使うことにより広告閲覧でポイントを受け取ることが可能となる。自分にとって有益な情報のみが、視聴ポイント付広告として、利用者のブラウザに表示され、利用者にとって特典のない広告は表示されない。属性を開示しているからこそ、視聴ポイント付の広告のオファーを協賛企業から受けることができ、本発明がなければ広告を見て簡単にポイントが受け取れるような仕組みを実現することはできない。
【００２５】
本発明により、利用者は、個人情報を他人に与えることなく、属性のみをインターネット上で開示することができるようになる。属性を開示することで、自分にとって有益な情報を受け取ることが可能となり、メリットを得ることができるようになる。
【発明を実施するための最良の形態】
【００２６】
以下、図面を参照しながら、本発明の実施の形態を詳細に説明する。本実施形態においては、利用者がＵＳＢドライブを用いて、サーバにアクセスして、個人認証を行い、サーバの機能により、属性に応じた情報配信がされる本発明の仕組みを説明している。
【００２７】
図１は、このような本発明の仕組みを示しており、利用者は、ＵＳＢポートを搭載したコンピュータを用いて、インターネットにアクセスするネット利用者であり、ＵＳＢドライブを用いて本発明を利用している。サーバは、本発明のポイントシステムを利用者に提供し、複数の手段や機能を持つサーバと、その複数のサーバを制御するサーバ制御手段３を有している。協賛企業サーバとは、利用者に視聴ポイント付広告を提供している協賛企業の運営しているサーバであり、広告情報配信サーバと連携して、利用者の属性に応じた情報の配信をしている。
【００２８】
まず、利用者は、個人属性開示機能付ＵＳＢドライブ１のＵＳＢ端子１１を利用者のコンピュータ２のＵＳＢポート１２に挿入する。ＵＳＢドライブには、不揮発性メモリ（フラッシュメモリ）と、コンピュータからのデータの入出力の制御を行う半導体チップが搭載されている。それらの機能により、利用者のコンピュータ２は、ストレージ領域４０を自動的に認識する。ストレージ領域内には、個人認証機能８と、ポイント管理機能９と、サーバとの接続機能１０を実現するソフトウェアプログラムを有している。
【００２９】
利用者が、利用者のブラウザ１４と、インターネットという通信手段１５により、ホームページを提供する協賛企業のホームページを提供するサーバ３９を訪問する際に、ＵＳＢドライブを利用者のコンピュータに接続しておく。ホームページ３９には、広告主３４より提供される広告表示部を有しており、利用者のブラウザには、広告が表示される。ＵＳＢドライブを接続している場合には、サーバと個人属性開示機能付ＵＳＢドライブ１の機能により、視聴ポイント付広告が、利用者のブラウザ１４に表示される。
【００３０】
その表示される仕組みは、ＵＳＢドライブ内の個人認証機能８と、サーバとの接続機能１０により、認証サーバ４にログインし、認証サーバの個人認証機能１７により利用者が認証され、属性判断機能１８により、属性が判断される。広告情報配信サーバ６には、広告情報記憶手段により、広告主３４からの広告が、属性によって分類されて記憶されている。広告情報配信サーバ６は、個人属性判断機能２２と、視聴ポイント設定手段２４と、広告情報配信手段２５により、利用者の属性に応じた広告を属性に応じた視聴ポイント付を利用者のブラウザ１４に表示する。
視聴ポイント付広告は、協賛企業の広告集計手段３３と、視聴ポイント付広告の記憶手段３５と、視聴ポイント付広告の送信手段３６と、通信手段（協賛企業）３１と、通信手段（サーバ）３２と、視聴ポイント設定手段２４との機能により、利用者に配信される。
【００３１】
表示された視聴ポイント付広告を利用者がクリックした際には、クリック情報１３は、サーバ制御手段３に送信され、ポイント管理サーバ５のポイント発行手段１９と、ポイント情報送信手段により、利用者のポイントがプラスされる。そのポイントがプラスされた情報は、ポイント格納手段２０により、サーバに記憶され同時に、ストレージ領域４０のポイント管理機能、サーバとの接続機能１０により、利用者のＵＳＢドライブに記憶される。
【００３２】
次に利用者が、属性に応じた情報配信サービスを行うサイトを訪問した場合の形態について説明する。利用者は、個人属性開示機能付ＵＳＢドライブ１を用いて、目的に応じて各種の情報サービスをインターネットを通じて受けることが可能になる。利用者が、目的に応じて協賛企業のサイトを訪問すると、属性に応じた情報配信手段２６により、各利用者により異なった情報が配信されている。その情報は、協賛企業の属性に適合されるように分類されたニュース３７と属性に適合されるように分類された各種情報３８をソースとして提供され、各種情報配信サーバ７の属性に応じた情報配信手段により、利用者のブラウザ１４に表示される。利用者は目的を達成するために、属性に応じたサービスを受けることができ、それは、属性開示機能付ＵＳＢドライブ１により可能となる。ストレージ領域４０には、個人属性判断・開示手段70を持っており、利用者のコンピュータ2の過去の訪問サイトの履歴情報やクッキーの情報より、個人属性を判断し、暗号化してネット上で開示する手段をもつ。
【００３３】
図２は、本発明の運用の方法を示した図であり、例として以下の通りの順序により、本発明が具現される形態の一例をしめす。本発明は、個人属性開示機能付ＵＳＢドライブであり、それを用いたポイントシステムの運用方法として、ＵＳＢドライブを利用者のコンピュータに接続して、情報を読むステップ50と、協賛企業のホームページを、利用者のコンピュータに呼び出すステップ51と、ＵＳＢドライブの個人認証機能により利用者がサーバにログインするステップ52と、個人属性の情報をサーバに格納するステップ53と、ログインされた利用者の個人属性を判断するステップ54と、ログインされた利用者の個人属性を判断するステップ55と、サーバが発行ポイントを個人属性に応じて設定するステップ56と、判断された個人属性により広告視聴ポイントが設定されるステップ57と、設定された広告視聴ポイントを利用者に送信して、表示するステップ58と利用者が前記ブラウザに表示された視聴ポイント付広告をクリックするステップ59と、サーバが認証された利用者にポイントを発行するステップ60と、ポイント管理サーバに利用者のポイントがプラスされるステップ61と、前記発行ポイントが利用者のＵＳＢドライブに記憶されるステップ62と、利用者のブラウザにポイントが表示されるステップ63により、示される。
【実施例】
【００３４】
実施例として、本発明品を用いてYahooのサイトにアクセスし、映画上映会を予約した場合の実施例を示す。Yahooは本プロジェクトの協賛企業であり、利用者に向けて属性判断後の広告を行っている。利用者が、ＵＳＢドライブを用いてYahooサイトを訪れるとトップページのバナーには、利用者の興味のあるジャンルの映画広告が、50ポイントの視聴ポイント付で表示されていた。クリックをすることで、ポイントが受け取れて、その上その映画に興味があるために、ポイント付バナーをクリックした。ポイント加算の処理は自動的に行われ、50ポイントを簡単に受け取ることができた。更に映画の予告編を見ると、10ポイントが加算されるサービスを見つけ、迷わずクリックをする。映画の予告編がネットで配信され、利用者はどうしてもその映画がみたくなる。映画館の情報、その上映時間の一覧を見ると、貯めた６０ポイントを割り引いてＷＥＢ上でチケット予約ができるサービスを見つけた。利用者はオンラインで割引を受けてチケットを予約することに成功することができた。
【００３５】
例として、日経ＢＰの提供している有料情報サービスを説明する。日経ＢＰは、本発明を使ってネットでビジネスマンを対象としたコンテンツ毎の有料情報サービスを提供している。利用者が日経ＢＰのサイトにＵＳＢドライブを用いてログインすると、属性に応じて配信されているニュースによりトップページが形成されている。利用者は大変に特殊な分野のコンサルティングを行っているが、その分野のニュースを毎日、このサイトで受け取れるために、毎日訪れるのが習慣になっている。見出しは、無料で提供されているが、詳細を読むと有料となり、本発明のポイントシステムによりポイント決済される。利用者はとても、多くのポイントを、仕事で必要な情報を得るために、日経ＢＰに払っているが、同サイトには視聴ポイント付広告が多く表示される。
仕事内容、購入パターンなどの属性がはっきりと判断されていて、この利用者には多くの視聴ポイント付広告がオファーされ、その広告を見ることで、多くのポイントを貯めることができる。毎日オファーされるいろいろな会社の視聴ポイント付広告を見て、有料コンテンツを利用するためのポイントを一部稼いでいる。実際には、視聴ポイント付の広告閲覧でも仕事に役立つ情報を得られることがあり、一石二鳥と考えて本発明のシステムを利用している。
【産業上の利用可能性】
【００３６】
本発明はインターネットが次の段階へと発展していくために、必要な重要な発明であり、個人認証をしたあとに実現する次世代のメディアの成立を実現している。更に、本発明を応用していくことで、インターネット上のポイントシステムが本発明のポイントシステムに統合され、同時にＩＤとパスワードが統合され、アカウントアグリゲーションを実現することが可能となる。
【図面の簡単な説明】
【００３７】
【図１】本発明の広告 システム の原理図である。
【図２】本発明のフローチャートである。
【符号の説明】
【００３８】
１ 個人属性開示機能付ＵＳＢドライブ
２ 利用者のコンピュータ
３ サーバ制御手段
４ 認証サーバ
５ ポイント管理サーバ
６ 広告情報配信サーバ
７  各種情報配信サーバ
８  個人認証機能（ＵＳＢドライブストレージ領域内）
９  ポイント管理機能（ＵＳＢドライブストレージ領域内）
１０  サーバとの接続機能
１１ ＵＳＢ端子
１２ ＵＳＢポート
１３  クリック情報
１４  利用者のブラウザ
１５ 通信手段（利用者コンピュータ）
１６ 通信手段（サーバ）
１７  個人認証機能（個人認証サーバ）
１８  属性判断機能（個人認証サーバ）
１９  ポイント発行手段
２０  ポイント格納手段
２１  ポイント情報送信手段
２２  個人属性判断手段（広告情報配信サーバ）
２３  広告情報記憶手段（広告情報配信サーバ）
２４  視聴ポイント設定手段
２５  広告情報配信手段
２６  属性に応じた情報配信手段
３１  通信手段（協賛企業）
３２  通信手段（サーバ）
３３  広告集計手段
３４  広告主
３５  視聴ポイント付広告記憶手段
３６  視聴ポイント付広告送信手段
３７  属性に適合されるよう分類されたニュース
３８  属性に適合されるよう分類された各種情報
４０  ストレージ領域
５０  ＵＳＢドライブを利用者のコンピュータに接続して、情報を読むステップ
５１  協賛企業のホームページを、利用者のコンピュータに呼び出すステップ
５２  ＵＳＢドライブの個人認証機能により利用者がサーバにログインするステップ
５３  個人属性の情報をサーバに格納するステップ
５４  ログインされた利用者の個人属性を判断するステップ
５５  ログインされた利用者の個人属性を判断するステップ
５６  サーバが発行ポイントを個人属性に応じて設定するステップ
５７  判断された個人属性により広告視聴ポイントが設定されるステップ
５８  設定された広告視聴ポイントを利用者に送信して、表示するステップ
５９  利用者が前記ブラウザに表示された視聴ポイント付広告をクリックするステップ
６０  サーバが認証された利用者にポイントを発行するステップ
６１  ポイント管理サーバに利用者のポイントがプラスされるステップ
６２  前記発行ポイントが利用者のＵＳＢドライブに記憶されるステップ
６３  利用者のブラウザにポイントが表示されるステップ
７０  個人属性判断・開示手段
【図１】
2005228168.tif 000003
【図２】
2005228168.tif 000004